(57)【要約】  画像表示における輝度の発振現象を抑制しつつ、温度変化に対して発光輝度の安定化を図る。上記目的を達成するために、画像表示装置であって、複数の発光素子を有する表示パネルと、それぞれ隣り合う温度区間の各境界領域に対応する各境界温度に応じた制御データが含まれた制御データ群を記憶する記憶部と、この表示パネルの温度を検出する検出部と、記憶部に記憶された制御データ群のうち、検出部によって検出された温度に応じた制御データに基づいて、各発光素子の発光輝度を調整する調整手段と、を備える。ここで、調整手段は、検出部によって検出される温度が、第１の境界温度に到達した場合であって、第１の境界温度と、該第１の境界温度を境界領域とする隣り合う両温度区間とで構成される第１の所定温度範囲内で変化する場合に、当該第１の境界温度に対応する制御データに基づいて、各発光素子の発光輝度を調整する。
2008105224.tif 000002
【特許請求の範囲】
【請求項１】
画像表示装置において、
複数の発光素子を有する表示パネルと、
それぞれ隣り合う温度区間の各境界領域に対応する各境界温度に応じた制御データが含まれた制御データ群を記憶する記憶部と、
前記表示パネルの温度を検出する検出部と、
前記記憶部に記憶された制御データ群のうち、前記検出部によって検出された温度に応じた前記制御データに基づいて、各前記発光素子の発光輝度を調整する調整手段であって、前記検出部によって検出される温度が、第１の境界温度に到達した場合であって、前記第１の境界温度と、該第１の境界温度を境界領域とする隣り合う両温度区間とで構成される第１の所定温度範囲内で変化する場合に、当該第１の境界温度に対応する制御データに基づいて、各前記発光素子の発光輝度を調整する前記調整手段と、
を有することを特徴とする画像表示装置。
【請求項２】
請求項１に記載の画像表示装置において、
前記検出部によって検出される温度が、前記第１の境界温度とは異なる第２の境界温度に到達した場合であって、前記検出部によって検出される温度が、当該第２の境界温度と、該第２の境界温度を境界領域とする隣り合う両温度区間とで構成される第２の所定温度範囲内で変化する場合に、前記調整手段は、当該第２の境界温度に対応する制御データに基づいて、各前記発光素子の発光輝度を調整することを特徴とする画像表示装置。
【請求項３】
請求項１に記載の画像表示装置において、
前記制御データが、γ補正データであることを特徴とする画像表示装置。
【請求項４】
画像表示装置であって、
複数の発光素子を有する表示パネルと、
前記表示パネルの温度を検出する検出部と、
前記検出部によって検出された温度に応じた制御データに基づいて、各前記発光素子の発光輝度を調整する調整手段と、
を備え、
前記検出部によって検出された前記表示パネルの温度に対応する前記制御データの値が過去の前記表示パネルの温度履歴によって異なることを特徴とする画像表示装置。
【請求項５】
請求項４に記載の画像表示装置において、
前記表示パネルの温度が単調上昇の場合と単調下降の場合とで、前記制御データの値が異なることを特徴とする画像表示装置。
【請求項６】
請求項４に記載の画像表示装置であって
前記制御データが、γ補正データであることを特徴とする画像表示装置。
【請求項７】
請求項１に記載の画像表示装置において、
前記各温度区間が一部重複し、該重複区間に対応するように前記境界温度が設定されていることを特徴とする画像表示装置。
【請求項８】
請求項１に記載の画像表示装置であって、
前記境界温度の幅が、
前記温度区間の幅の半分以下であることを特徴とする画像表示装置。
【請求項９】
請求項１に記載の画像表示装置であって、
前記所定温度範囲の幅が、
前記温度区間の幅の１．５倍以上２倍以下であることを特徴とする画像表示装置。
【請求項１０】
画像表示装置であって、
複数の発光素子を有する表示パネルと、
各温度に対応する制御データが含まれた第１の制御データ群と、前記第１の制御データ群とは異なり、且つ各温度に対応する制御データが含まれた第２の制御データ群と、を記憶する記憶部と、
前記表示パネルの温度を検出する検出部と、
前記検出部によって検出された温度が、前記検出部によって前回検出された温度よりも上昇している場合には、前記第１の制御データ群から、当該検出部によって検出された温度に応じた制御データを読み出す一方、前記検出部によって検出された温度が、前記検出部によって前回検出された温度よりも下降している場合には、前記第２の制御データ群から、当該検出部によって検出された温度に応じた制御データを読み出す読出手段と、
前記読出手段によって読み出された制御データに基づいて、各前記発光素子の発光輝度を調整する調整手段と、
を備えることを特徴とする画像表示装置。
【請求項１１】
請求項１０に記載の画像表示装置であって、
前記第１の制御データ群に含まれる制御データと、前記第２の制御データ群に含まれる制御データとが、所定の温度範囲ごとに一致することを特徴とする画像表示装置。
【請求項１２】
請求項１０に記載の画像表示装置であって、
前記第１の制御データ群が、
所定の温度幅を有する各温度区間に対応する制御データを含み、
前記第２の制御データ群が、
前記所定の温度幅を有する各温度区間に対応する制御データを含み、
前記所定の温度範囲の温度幅が、
前記所定の温度幅の半分以下であることを特徴とする画像表示装置。
【請求項１３】
請求項１０に記載の画像表示装置であって
前記第１の制御データ群および前記第２の制御データ群が、γ補正データであることを特徴とする画像表示装置。
【請求項１４】
請求項１に記載の画像表示装置であって、
前記調整手段が、
前記制御データに基づいて、デューティを変更することで、各前記発光素子の発光輝度を調整することを特徴とする画像表示装置。
【請求項１５】
請求項４に記載の画像表示装置であって、
前記調整手段が、
前記制御データに基づいて、デューティを変更することで、各前記発光素子の発光輝度を調整することを特徴とする画像表示装置。
【請求項１６】
請求項１０に記載の画像表示装置であって、
前記調整手段が、
前記制御データに基づいて、デューティを変更することで、各前記発光素子の発光輝度を調整することを特徴とする画像表示装置。
【請求項１７】
画像表示装置の駆動方法であって、
(a)複数の発光素子を有する表示パネル、およびそれぞれ隣り合う温度区間の各境界領域に対応する各境界温度に応じた制御データを含む制御データ群を記憶する記憶部を含む画像表示装置を準備すること、
(b)前記表示パネルの温度を検出すること、
(c)前記(b)で検出された前記表示パネルの温度が、所定の境界温度に到達した場合であって、前記所定の境界温度と、該所定の境界温度を境界領域とする隣り合う両温度区間とで構成される所定温度範囲内で変化する場合に、該所定の境界温度に対応する制御データに基づいて、各前記発光素子の発光輝度を調整すること、
を備えることを特徴とする画像表示装置の駆動方法。
【請求項１８】
画像表示装置の駆動方法であって、
(a)複数の発光素子を有する表示パネル、および前記表示パネルの温度補償を行うための制御データが含まれた第１の制御データ群と、前記第１の制御データ群とは異なり、且つ前記表示パネルの温度補償を行うための制御データが含まれた第２の制御データ群とを記憶する記憶部を含む画像表示装置を準備すること、
(b)前記表示パネルの温度を検出すること、
(c)前記検出された前記表示パネルの温度が、前回検出された前記表示パネルの温度よりも上昇している場合には、前記第１の制御データ群の制御データに基づいて、前記検出された前記表示パネルの温度が、前回検出された前記表示パネルの温度よりも下降している場合には、前記第２の制御データ群の制御データに基づいて、各前記発光素子の発光輝度を調整すること、
を備えることを特徴とする画像表示装置の駆動方法。
【請求項１９】
画像表示装置の駆動方法であって、
(a)複数の発光素子を有する表示パネルを含む画像表示装置を準備すること、
(b)前記表示パネルの温度を検出すること、
(c)前記(b)で検出された温度に応じた制御データに基づいて、前記表示パネルの温度が上昇している場合と、前記表示パネルの温度が下降している場合とで、異なる温度において制御データに切り替えて、各前記発光素子の発光輝度を調整すること、
を備えることを特徴とする画像表示装置の駆動方法。
【発明の詳細な説明】
【技術分野】
【０００１】
本発明は、画像を表示する装置に関する。
【背景技術】
【０００２】
従来より、電界発光を利用した有機ＥＬ(Electroluminescence)素子を備える画像表示装置が知られている。【０００３】
この様な画像表示装置では、そこに使われている薄膜トランジスタ（TFT：Thin Film Transistor）と有機ＥＬ素子の温度特性により、有機ＥＬパネルの温度が変化すると発光輝度が変化する。【０００４】
このため、有機ＥＬ素子の画素回路に付与する信号波形、信号電圧、または電源電圧を適宜制御することで、広い温度範囲（例えば、−２０℃〜＋６０℃）における有機ＥＬパネルの温度変化に対して、発光輝度を安定させる技術が提案されている（例えば、特開平０７−２６３１４２号公報、特開２０００−２１４８２４号公報、特開２００１−１１８６７６号公報、特開２００１−３４３９３２号公報、特開２００３−２９７１０号公報、特許第３３８９６５３号公報、特開２００３−１５０１１３号公報、特開２００３−３３０４１９号公報、特開２００４−１０２０７７号公報、特開２００５−５５９０９号公報、特開２００５−２０８２２８号公報、特開２００５−２４２１１５号公報、特開２００５−３０９２３２号公報、および特開２００５−３１６１３９号公報など）。そして、例えば、複数の所定温度を境目として、環境温度が各所定温度を通過する度に、映像信号に対する補正量を変えたり、電源電位に対する補正量を変えることで、温度変化に起因した発光素子における電流値の変動を緩和するものがある（例えば、特開２００３−３３０４１９号公報）。【０００５】
しかしながら、上記特許文献で提案されている技術では、有機ＥＬパネルの温度が各温度区間の切れ目の付近で細かく往復して、細かく輝度が変動する輝度の発振現象が発生してしまう。この様な現象が発生するのは、有機ＥＬパネルにおいて、温度が低くなると、駆動電力が増えて発熱が大きくなり、温度が上昇する一方、温度が高くなると、駆動電力が減って発熱が小さくなり、温度が低下するためである。【０００６】
この様な問題は、温度変化によって発光輝度が変動する画像表示装置一般に共通する。
【発明の開示】
【０００７】
本発明は上記問題に鑑みてなされたものであり、画像表示における輝度の発振現象を抑制しつつ、温度変化に対して発光輝度を安定化させることができる技術を提供することを目的とする。
【０００８】
上記課題を解決するため、本発明の第１の態様に係る画像表示装置は、複数の発光素子を有する表示パネルと、それぞれ隣り合う温度区間の各境界領域に対応する各境界温度に応じた制御データが含まれた制御データ群を記憶する記憶部と、前記表示パネルの温度を検出する検出部と、前記記憶部に記憶された制御データ群のうち、前記検出部によって検出された温度に応じた前記制御データに基づいて、各前記発光素子の発光輝度を調整する調整手段と、を備える。ここで、前記調整手段は、前記検出部によって検出される温度が、第１の境界温度に到達した場合であって、前記第１の境界温度と、該第１の境界温度を境界領域とする隣り合う両温度区間とで構成される第１の所定温度範囲内で変化する場合に、当該第１の境界温度に対応する制御データに基づいて、各前記発光素子の発光輝度を調整するようにした。
【０００９】
これにより、表示パネルの温度が、温度区間の切れ目の付近で細かく往復しても、制御データが細かく切り替わりにくくなるため、画像表示における輝度の発振現象を抑制しつつ、温度変化に対して発光輝度を安定化させることができる。
【００１０】
本発明の第２の態様に係る画像表示装置は、複数の発光素子を有する表示パネルと、前記表示パネルの温度を検出する検出部と、前記検出部によって検出された温度に応じた制御データに基づいて、各前記発光素子の発光輝度を調整する調整手段と、を備える。ここで、前記検出部によって検出された前記表示パネルの温度に対応する前記制御データの値が過去の前記表示パネルの温度履歴によって異なるようにした。
【００１１】
これにより、温度補償にヒステリシスを持たせることができる。例えば、前記表示パネルの温度が単調上昇の場合と単調下降の場合とで前記表示パネルの温度に対応する前記制御データの値が異なるように設定している。その結果、前記表示パネルの温度に応じて前記発光素子の輝度調整を行いつつも、前記表示パネルの温度の細かな変化に追随しない安定した前記制御データの調整が可能な画像表示装置の実現が容易となる。
【００１２】
本発明の第３の態様に係る画像表示装置は、複数の発光素子を有する表示パネルを備え、各温度に対応する制御データが含まれた第１の制御データ群と、前記第１の制御データ群とは異なり、且つ各温度に対応する制御データが含まれた第２の制御データ群と、を記憶する記憶部を備えるとともに、前記表示パネルの温度を検出する検出部を備える。さらに、この画像表示装置が、前記検出部によって検出された温度が、前記検出部によって前回検出された温度よりも上昇している場合には、前記第１の制御データ群から、当該検出部によって検出された温度に応じた制御データを読み出す一方、前記検出部によって検出された温度が、前記検出部によって前回検出された温度よりも下降している場合には、前記第２の制御データ群から、当該検出部によって検出された温度に応じた制御データを読み出す読出手段と、前記読出手段によって読み出された制御データに基づいて、各前記発光素子の発光輝度を調整する調整手段と、を備えるようにした。
【００１３】
これにより、表示パネルの温度が、温度区間の切れ目の付近で細かく往復しても、制御データが細かく切り替わりにくくなるため、画像表示における輝度の発振現象を抑制しつつ、温度変化に対して発光輝度を安定化させることができる。
【００１４】
本発明の第４の態様に係る画像表示装置の駆動方法は、(a)複数の発光素子を有する表示パネル、およびそれぞれ隣り合う温度区間の各境界領域に対応する各境界温度に応じた制御データを記憶する記憶部を含む画像表示装置を準備すること、(b)前記表示パネルの温度を検出すること、(c) 前記(b)で前記検出された前記表示パネルの温度が、所定の境界温度に到達した場合であって、前記所定の境界温度と、該所定の境界温度を境界領域とする隣り合う両温度区間とで構成される所定温度範囲内で変化する場合に、該所定の境界温度に対応する制御データに基づいて、各前記発光素子の発光輝度を調整すること、を備えるようにした。
【００１５】
これにより、表示パネルの温度が、温度区間の切れ目の付近で細かく往復しても、制御データが細かく切り替わりにくくなるため、画像表示における輝度の発振現象を抑制しつつ、温度変化に対して発光輝度を安定化させることができる。
【００１６】
本発明の第５の態様に係る画像表示装置の駆動方法は、(a)複数の発光素子を有する表示パネル、および前記表示パネルの温度補償を行うための制御データが含まれた第１の制御データ群と、前記第１の制御データ群とは異なり、且つ前記表示パネルの温度補償を行うための制御データが含まれた第２の制御データ群とを記憶する記憶部を含む画像表示装置を準備すること、(b)前記表示パネルの温度を検出すること、(c)前記検出された前記表示パネルの温度が、前回検出された前記表示パネルの温度よりも上昇している場合には、前記第１の制御データ群の制御データに基づいて、前記検出された前記表示パネルの温度が、前回検出された前記表示パネルの温度よりも下降している場合には、前記第２の制御データ群の制御データに基づいて、各前記発光素子の発光輝度を調整すること、を備えるようにした。
【００１７】
これにより、表示パネルの温度が、温度区間の切れ目の付近で細かく往復しても、制御データが細かく切り替わりにくくなるため、画像表示における輝度の発振現象を抑制しつつ、温度変化に対して発光輝度を安定化させることができる。
【００１８】
本発明の第６の態様に係る画像表示装置の駆動方法は、(a)複数の発光素子を有する表示パネルを含む画像表示装置を準備すること、(b)前記表示パネルの温度を検出すること、(c)前記(b)で検出された温度に応じた制御データに基づいて、前記表示パネルの温度が上昇している場合と、前記表示パネルの温度が下降している場合とで、異なる温度において制御データに切り替えて、各前記発光素子の発光輝度を調整すること、を備えるようにした。
【００１９】
これにより、温度区間の切れ目の付近で細かく往復しても、制御データが細かく切り替わりにくくなるため、画像表示における輝度の発振現象を抑制しつつ、温度変化に対して発光輝度を安定化させることができる。
【図面の簡単な説明】
【００２０】
【図１】図１は、本発明の実施形態に係る画像表示装置に含まれる画素回路の構成を示す回路図である。
【図２】図２は、本発明の実施形態に係る画像表示装置に含まれる画素回路の構成をＭＯＳトランジスタ寄生容量およびＯＬＥＤ容量を明示しつつ示す回路図である。
【図３】図３は、本発明の実施形態に係る画素回路の動作を示すタイミングチャートである。
【図４】図４は、本発明の実施形態に係る画素回路の動作を示す回路図である。
【図５】図５は、本発明の実施形態に係る画素回路の動作を示す回路図である。
【図６】図６は、本発明の実施形態に係る画素回路の動作を示す回路図である。
【図７】図７は、本発明の実施形態に係る画素回路の動作を示す回路図である。
【図８】図８は、本発明の第１および第２実施形態に係る画像表示装置の概略構成を例示する図である。
【図９】図９は、本発明の第１および第２実施形態に係る画像表示装置の機能構成を例示するブロック図である。
【図１０】図１０は、本発明の第１実施形態に係る記憶パネル温度の更新態様を説明するための図である。
【図１１】図１１は、本発明の第１実施形態に係る記憶パネル温度の更新態様を説明するための図である。
【図１２】図１２は、本発明の第１実施形態に係る記憶パネル温度の更新態様を説明するための図である。
【図１３】図１３は、本発明の第１および第２実施形態に係る専用ドライバの構成を示す図である。
【図１４】図１４は、本発明の第１実施形態に係る画素回路の動作を示すタイミングチャートである。
【図１５】図１５は、本発明の第１実施形態に係る画素回路の動作を示すタイミングチャートである。
【図１６】図１６は、本発明の第１実施形態に係るパネル温度および輝度設定の変化に対する発光輝度の調整動作フローを示すフローチャートである。
【図１７】図１７は、本発明の第２実施形態に係る発光制御データの更新態様を説明するための図である。
【図１８】図１８は、本発明の第２実施形態に係る発光制御データの更新態様を説明するための図である。
【図１９】図１９は、本発明の第２実施形態に係る発光制御データの更新態様を説明するための図である。
【図２０】図２０は、本発明の第２実施形態に係るパネル温度および輝度設定の変化に対する発光輝度の調整動作フローを示すフローチャートである。
【図２１】図２１は、変形例に係る記憶パネル温度の更新態様を説明するための図である。
【図２２】図２２は、変形例に係る発光制御データの更新態様を説明するための図である。
【発明を実施するための最良の形態】
【００２１】
以下、本発明の実施形態を図面に基づいて説明する。【００２２】
＜表示パネル技術＞
実施形態について説明する前に、後述する本発明の第１および第２実施形態に係る画像表示装置を構成する表示部の表示パネルについて、図１から図７に基づいて説明する。ここでは、表示パネルは、いわゆる電流値によって発光輝度を調節する有機ＥＬディスプレイを備えて構成される。この表示パネルでは、多数の画素回路が配置され、各画素回路に有機ＥＬ素子が配置されている。【００２３】
図１は、表示パネルに含まれる画素回路の構成を示す回路図である。この画素回路については、例えば、表示パネルにおいて複数の画素回路が行列状に配置される。【００２４】
図１において、発光素子としての有機発光ダイオードＯＬＥＤは、入力端子が接地され、出力端子が、駆動用のＮＭＯＳトランジスタＴｄを介して、電源線Ｌ１へ電気的に接続される。【００２５】
トランジスタＴｄにおいては、ゲート・ドレイン間に、トランジスタＴｄの閾値電圧を検出するためのＮＭＯＳトランジスタＴｔｈが電気的に接続される。【００２６】
また、ＮＭＯＳトランジスタＴｄにおいては、ゲートに、保持容量（保持キャパシタ）Ｃｓの一方電極が電気的に接続される。保持キャパシタＣｓの他方電極は、ＮＭＯＳトランジスタＴｓを介して画像信号線Ｌ２へ電気的に接続されるとともに、ＮＭＯＳトランジスタＴｍを介して電源線Ｌ１へ電気的に接続される。なお、保持キャパシタＣｓは、ＮＭＯＳトランジスタＴｔｈを介して電荷を溜められることにより、該電荷に応じた電位をＮＭＯＳトランジスタＴｄのゲート電位に反映させることができる。【００２７】
ＮＭＯＳトランジスタＴｔｈ，Ｔｓ，Ｔｍのゲートへは、それぞれ、Ｔｔｈ制御線Ｌ３、走査信号線Ｌ４、およびマージ線Ｌ５が電気的に接続される。なお、以下では、電源線Ｌ１、画像信号線Ｌ２、Ｔｔｈ制御線Ｌ３、走査信号線Ｌ４、およびマージ線Ｌ５を総称して単に線Ｌとも呼ぶ。【００２８】
図２は、図１において、ＭＯＳトランジスタ寄生容量（寄生キャパシタ）およびＯＬＥＤ容量（ＯＬＥＤキャパシタ）を明示したものである。図２に示されるように、ダイオードＯＬＥＤでは、逆電圧印加時において、入力端子・出力端子間にＯＬＥＤキャパシタＣｏｌｅｄが生じる。トランジスタＴｄでは、ゲート・ドレイン間に寄生キャパシタＣｇｄＴｄが、ゲート・ソース間に寄生キャパシタＣｇｓＴｄが、それぞれ生じる。トランジスタＴｔｈにおいては、ゲート・ドレイン間に寄生キャパシタＣｇｄＴｔｈが、ゲート・ソース間に寄生キャパシタＣｇｓＴｔｈが、それぞれ生じる。【００２９】
図３は、図１および図２の画素回路の動作を示すタイミングチャートである。図３においては、画像表示装置に含まれる複数の画素回路のうち、ｎ（自然数）行目のものと（ｎ＋１）行目のものとに各線Ｌ１〜Ｌ５から与えられる電位（すなわち隣接する２行の画素回路それぞれに与えられる電位）が示されている。図３に示されるように、一の画像データを表示するための単位フレーム期間は、準備のための期間Ｔ１と、ＮＭＯＳトランジスタＴｄの閾値電圧Ｖｔｈ検出のための期間Ｔ２と、書き込みのための期間Ｔ３と、発光のための期間Ｔ４とから構成されている。また、ｎ行目と（ｎ＋１）行目とでは、期間Ｔ３に相当する期間だけずれている。この単位フレーム期間を、画像データを変化させつつ（言い換えれば画像信号線Ｌ２の電位を変化させつつ）繰り返すことにより、動画像を表示することが可能となる。【００３０】
以下では、図４〜図７を参照して、図３の期間Ｔ１〜Ｔ４について説明する。なお、期間Ｔ１の開始時点では、前フレームの期間Ｔ４において保持キャパシタＣｓに電荷が溜められているものとする。【００３１】
まず、図４を参照して、図３の期間Ｔ１においては、ＮＭＯＳトランジスタＴｓ，Ｔｔｈはゲート電位がＬレベル（ＶｇＬ）となるので遮断し、ＮＭＯＳトランジスタＴｍはゲート電位がＨレベル（ＶｇＨ）となるので導通する。このとき、ＮＭＯＳトランジスタＴｄは、保持キャパシタＣｓに溜められた電荷により、ソース電位に対するゲート電位（以下、ソース・ゲート間電位差またはＶｇｓともいう）が閾値電圧（Ｖｔｈ）よりも高くなるので、導通する。従って、導通しているＮＭＯＳトランジスタＴｄを介して、電位Ｖｐの電源線Ｌ１（Ｖｐ＞０）からＯＬＥＤキャパシタＣｏｌｅｄへ電荷が溜められる。【００３２】
次に、図５を参照して、図３の期間Ｔ２においては、ＮＭＯＳトランジスタＴｓはゲート電位がＬレベル（ＶｇＬ）となるので遮断し、ＮＭＯＳトランジスタＴｍ，Ｔｔｈはゲート電位がＨレベル（ＶｇＨ）となるので導通する。このとき、ＮＭＯＳトランジスタＴｄは、導通しているＮＭＯＳトランジスタＴｔｈを介してゲート・ドレイン間が接続される。従って、ＮＭＯＳトランジスタＴｄのゲート電位が閾値電圧Ｖｔｈに達するまで、保持キャパシタＣｓおよびＯＬＥＤキャパシタＣｏｌｅｄに溜められた電荷が電位０Ｖの電源線へ抜けることとなる。そして、ＮＭＯＳトランジスタＴｄのゲート電位が閾値電圧Ｖｔｈに達すると、ＮＭＯＳトランジスタＴｄのソース・ゲート間電位差がＶｔｈとなり、ＮＭＯＳトランジスタＴｄは遮断する。【００３３】
次に、図６を参照して、図３の期間Ｔ３においては、ＮＭＯＳトランジスタＴｓ，Ｔｔｈはゲート電位がＨレベル（ＶｇＨ）となるので導通し、ＮＭＯＳトランジスタＴｍはゲート電位がＬレベル（ＶｇＬ）となるので遮断する。従って、保持キャパシタＣｓの他方電極は、導通しているＮＭＯＳトランジスタＴｓを介して電位（−Ｖｄａｔａ）の画像信号線Ｌ２へ電気的に接続されるので、ＯＬＥＤキャパシタＣｏｌｅｄに溜められた電荷が保持キャパシタＣｓへ移動する。なお、このとき、電源線Ｌ１の電位が０Ｖであるため、ＮＭＯＳトランジスタＴｄの両端の電位差がほとんどなく、ＮＭＯＳトランジスタＴｄは遮断している。【００３４】
次に、図７を参照して、図３の期間Ｔ４においては、ＮＭＯＳトランジスタＴｓ，Ｔｔｈはゲート電位がＬレベル（ＶｇＬ）となるので遮断し、ＮＭＯＳトランジスタＴｍはゲート電位がＨレベル（ＶｇＨ）となるので導通する。このとき、ＮＭＯＳトランジスタＴｄは、保持キャパシタＣｓに溜められた電荷によりソース電位に対するゲート電位Ｖｇｓが閾値電圧Ｖｔｈよりも高くなるので、導通する。従って、導通しているＮＭＯＳトランジスタＴｄを介して、接地線から負電位（−ＶＤＤ、ただし、ＶＤＤ＞０Ｖ）の電源線Ｌ１へ電流が流れ、ダイオードＯＬＥＤが発光する。【００３５】
期間Ｔ４においては、ＮＭＯＳトランジスタＴｄのソースに対するゲート電位Ｖｇｓは、定数ａ，ｄを用いて、Ｖｇｓ＝Ｖｔｈ＋ａ×Ｖｄａｔａ＋ｄとなる。また、ＮＭＯＳトランジスタＴｄのソース・ドレイン間を流れる電流Ｉｄｓは、定数βを用いて、Ｉｄｓ＝（β／２）×（Ｖｇｓ−Ｖｔｈ）2＝（β／２）×（ａ×Ｖｄａｔａ＋ｄ）2となる。上述したように、期間Ｔ４におけるダイオードＯＬＥＤの輝度は電流Ｉｄｓの電流密度に比例するので、画素回路それぞれに対して、画像信号線Ｌ２を所望の電位すなわち所望のＶｄａｔａで制御することにより、所望の輝度を与えることが可能である。【００３６】
＜第１実施形態＞
＜画像表示装置の概略構成＞
図８は、本発明の第１実施形態に係る画像表示装置の概略構成を例示する図である。【００３７】
携帯電話機１は、本体部１００と表示部２００Ａとを備えた携帯可能な電子機器であり、動画や静止画などといった各種画像を表示部２００で表示する画像表示装置として機能する。このため、以下では、携帯電話機を適宜「画像表示装置」とも称する。【００３８】
本体部１００は、通信機能やバッテリーなどの給電機能や操作部などを備える。【００３９】
表示部２００は、例えば、略長方形の輪郭を有する有機ＥＬディスプレイ（organic electroluminescence display）と、本体部１００より供給される各種信号が入力されるドライバ手段とを備えて構成される。なお、有機ＥＬディスプレイは、有機材料に電流を流すことで材料自らが発光する自発光型の発光素子を有する自発光型画像表示装置である。【００４０】
また、有機ＥＬディスプレイは、発光輝度に対応するデータ信号（画素データ信号）を各画素に供給するための画像信号線と、当該画像信号線に対して略直交するように設けられ、各画素に走査信号を供給するための走査信号線とを有する。なお、走査信号は、各画素に画像信号線を介して画素信号を供給するタイミングを制御する信号である。【００４１】
一方、ドライバ手段は、画像信号線に対して電気的に接続され、画素信号を画像信号線に供給するタイミングを制御するＸドライバ（画像信号線駆動回路）と、走査信号線に対して電気的に接続され、走査信号を走査信号線に供給するタイミングを制御するＹドライバ（走査信号線駆動回路）とを備える。例えば、携帯電話機１では、Ｘドライバは有機ＥＬディスプレイの短辺に沿って配置され、Ｙドライバは有機ＥＬディスプレイの長辺に沿って配置される。【００４２】
＜画像表示装置の機能構成＞
図９は、画像表示装置１の機能構成を例示するブロック図である。図９では、本発明の特徴的な機能・構成を有する表示部２００について主に示されている。【００４３】
本体部１００は、送受信部１０１、バッテリー１０２、および操作部１０３を備えて構成される。【００４４】
送受信部１０１は、画像データなどの各種データを外部装置との間で相互に伝達するものであり、当該送受信部１０１で取得された画像データは、適宜表示部２００（具体的には、Ｘドライバ）に対して出力される。【００４５】
バッテリー１０２は、本体部１００や表示部２００の各部に電力を供給するものである。【００４６】
操作部１０３は、各種操作ボタンなどを有し、ユーザーによって各種操作ボタンが適宜操作されることで、種々の入力を行うことができる。例えば、ユーザーは、好みに応じて操作部１０３を種々操作することで、表示部２００における表示画面の輝度を数段階（例えば、８段階）のうちの１つに切り換えて設定することができる。なお、ユーザーによって操作部１０３から入力される表示画面の輝度を切り換えるための信号を、以下では「輝度切換信号」と称する。【００４７】
表示部２００は、タイマー２０１、温度センサ２０２、温度センサインターフェース（Ｉ／Ｆ）部２０３、パネル温度更新部２０４、デューティ制御部２０５、プロセッサ部２０６、画像信号線駆動回路（Ｘドライバ）２０７、専用ドライバ２０８、タイミングジェネレータ（ＴＧ）２０９、表示パネル２１０、記憶部２２０、および記憶部インターフェース（Ｉ／Ｆ）部２２１、を備えて構成される。【００４８】
タイマー２０１は、所定のタイミングからの時間経過を計るもので、例えば、表示部２００における画像表示中において、所定時間（ここでは、０．７秒）が経過する度に温度センサＩ／Ｆ２０３に対して所定の信号を出力する。【００４９】
温度センサ２０２は、表示パネル２１０の温度（以下「パネル温度」とも称する）を検出するものである。この温度センサ２０２は、例えば、熱電対などによって構成され、表示パネル２１０のプリント回路基板に対して熱電対が半田付けなどの手段によって熱結合される態様が挙げられる。また、温度センサ２０２は、所定温度（ここでは１℃）刻みでパネル温度を検出する。【００５０】
なお、温度センサ２０２によるパネル温度の検出態様は、パネル温度を直接的に測定する態様に限られず、例えば、表示パネル２１０の周辺温度を測定したり、他の部材を介して表示パネル２１０の温度を測定することで、パネル温度を間接的に測定する態様であっても良い。したがって、本明細書では「表示パネルの温度を検出する」という表現を、表示パネルの温度を直接的または間接的に検出する両方の態様を含む意味で使用している。【００５１】
温度センサＩ／Ｆ２０３は、タイマー２０１からの所定の信号に応答して、温度センサ２０２で検出されるパネル温度を読み込むもので、所定時間（ここでは、０．７秒）が経過する度に、読み込んだパネル温度をパネル温度更新部２０４に出力する。【００５２】
パネル温度更新部２０４は、パネル温度のモニタ結果をメモリに記憶および更新するとともに、当該モニタ結果をデューティ制御部２０５に対して出力する。このパネル温度更新部２０４は、温度センサＩ／Ｆ２０３から入力されるパネル温度が、所定の温度幅α（ここでは、α＝２℃）をそれぞれ有する複数の温度区間の境界温度（ここでは、奇数温度）に到達する度に、当該境界温度を現在のパネル温度としてメモリに記憶する。したがって、メモリに記憶されたパネル温度（以下「記憶パネル温度」とも称する）が、適宜次のパネル温度に更新される。【００５３】
図１０から図１２は、パネル温度更新部２０４における記憶パネル温度の更新態様を説明するための図である。【００５４】
図１０では、温度センサＩ／Ｆ２０３によって読み込まれたパネル温度が上昇傾向にある場合の記憶パネル温度の更新態様が太線で示されている。図１０で示すように、パネル温度が奇数温度に到達する度に記憶パネル温度が当該奇数温度に更新される。例えば、パネル温度が上昇していく途中で、パネル温度が１５℃に到達すれば、記憶パネル温度が１５℃に更新され、パネル温度が１７℃に到達すれば、記憶パネル温度が１７℃に更新される、といった具合に記憶パネル温度が更新される。【００５５】
一方、図１１では、温度センサＩ／Ｆ２０３によって読み込まれたパネル温度が下降傾向にある場合の記憶パネル温度の更新態様が太線で示されている。図１１で示すように、パネル温度が奇数温度に到達する度に記憶パネル温度が当該奇数温度に更新される。例えば、パネル温度が下降していく途中で、パネル温度が１７℃に到達すれば、記憶パネル温度が１７℃に更新され、パネル温度が１５℃に到達すれば、記憶パネル温度が１５℃に更新される、といった具合に記憶パネル温度が更新される。【００５６】
図１２では、図１０で示されたパネル温度が上昇傾向にある場合の記憶パネル温度の更新態様（太線）と、図１１で示されたパネル温度が下降傾向にある場合の記憶パネル温度の更新態様（細線）とが示されている。図１２で示すように、パネル温度が、複数の温度区間の境界温度（ここでは、奇数温度）に到達し、記憶パネル温度が更新された後に、当該境界温度を中心として、高温側の所定の温度幅α未満および低温側の所定の温度幅α未満の範囲内で変化しても、記憶パネル温度は変化しない。換言すれば、パネル温度が、第１の境界温度（ここでは、奇数温度）に到達し、一度記憶パネル温度が更新されると、当該境界温度と、該第１の境界温度を境界領域とする隣接する温度区間とで構成される第１の所定温度範囲内で変化する場合には、記憶パネル温度は実質的に更新されない。一方、第１の所定温度範囲を超えて、第２の境界温度に到達すると、記憶パネル温度の更新が行われる。そして、パネル温度が、当該第２の境界温度と、該第２の境界温度を境界領域とする隣接する温度区間とで構成される第２の所定温度範囲内で変化する場合、記憶パネル温度の更新が行われない。ここで、第１の所定温度範囲と第２の所定温度範囲とで一部温度範囲が重複するものの、該重複範囲においては互いに記憶パネル温度が異なることとなる。その結果、図１２に示すように、記憶パネル温度の分布がヒステリシスを持った形となる。【００５７】
記憶部２２０は、例えば、ＲＯＭ等によって構成され、プログラムＰＧやデータテーブルＤＴやγテーブルＧＴなどといった各種データを記憶している。【００５８】
データテーブルＤＴは、各境界温度に対応した発光輝度を制御するためのデータ（発光制御データ）が複数の輝度設定の各々に対して用意されたテーブルを備えて構成されている。ここでは、８段階の輝度設定毎に、図１０から図１２で示した各境界温度に対して、それぞれ発光制御データが対応付けられて記憶されている。【００５９】
この発光制御データは、表示パネル２１０に多数配列される画素回路に対して印加する電位の波形を調整するためのパラメータ（制御パラメータ）を有している。つまり、データテーブルＤＴは、記憶パネル温度と、該温度に対応する制御パラメータのリストを有している。【００６０】
また、プログラムＰＧとしては、例えば、プロセッサ部２０６で読み込まれて実行されることで、発光制御の機能を実現するものが挙げられる。なお、γテーブルＧＴは、表示部２００に入力される画像データに対して、いわゆるγ補正を施すためのデータが記述されたデータテーブルである。なお、γ補正については、公知の手法を用いることができるため、以下の説明では省略する。【００６１】
記憶部Ｉ／Ｆ２２１は、表示部２００内の各部と記憶部２２０との間におけるデータの入出力を制御するためのものである。【００６２】
デューティ制御部２０５は、パネル温度更新部２０４から入力される記憶パネル温度、および本体部１００から入力される輝度切換信号に応じて、表示パネル２１０における発光素子のデューティ（単位フレーム期間を占める発光期間の割合）を制御するものである。【００６３】
このデューティ制御部２０５では、記憶パネル温度と輝度切換信号とに応じた発光制御データを記憶部２２０から記憶部Ｉ／Ｆ２２１を介して読み出す。なお、デューティ制御部２０５では、輝度切換信号が入力される度に輝度設定を更新してメモリに記憶することで輝度設定を管理する。このように、デューティ制御部２０５は、温度センサ２０２によって検出されたパネル温度および輝度設定に基づいて、発光制御データを記憶部２２０から読み出す。【００６４】
また、デューティ制御部２０５は、タイマー２０１からの信号に基づいて、所定期間（ここでは１０ミリ秒）が経過する毎に、輝度切換信号をサンプリングして、輝度切換信号に基づく輝度設定に変更があれば、記憶部２２０から変更後の輝度設定に応じた発光制御データを記憶部２２０から読み出す。【００６５】
そして、デューティ制御部２０５は、読み出した発光制御データに含まれる制御パラメータをプロセッサ部２０６に出力する。【００６６】
プロセッサ部２０６は、記憶部２２０からプログラムＰＧを読み込んで実行することで、デューティ制御部２０５から入力される制御パラメータに基づいて、発光輝度を制御する機能を実現する。より詳細には、プロセッサ部２０６は、制御パラメータに応じた制御信号を、専用ドライバ２０８に対して出力することで、表示パネル２１０に含まれる各画素回路に対して印加される電位の波形（すなわち駆動波形）を適宜変更する。【００６７】
表示パネル２１０は、図１〜図７を示して説明した画素回路と同様な構成をそれぞれ有する複数の画素回路（図９中破線部）が格子状に配列されて構成される。そして、列方向に沿って並ぶ複数の画素回路に対して共通の画像信号線Ｌ２が電気的に接続され、行方向に沿って並ぶ複数の画素回路に対して共通の走査信号線Ｌ４が電気的に接続される。【００６８】
画像信号線駆動回路（Ｘドライバ）２０７は、ＴＧ２０９からの信号に応答して、画像信号線に対して画素信号を供給する。なお、ＴＧ２０９は、本体部１００から送られてくる画像データに同期させて、画像信号線駆動回路２０７から各画像信号線に対する画素信号の供給タイミングを制御する信号を画像信号線駆動回路２０７に対して送出する。【００６９】
専用ドライバ２０８は、プロセッサ部２０６からの制御信号に応じた波形で、電源線Ｌ１、Ｔｔｈ制御線Ｌ３、走査信号線Ｌ４、およびマージ線Ｌ５に対して電位を印加する。【００７０】
図１３は、専用ドライバ２０８の構成例を示す図である。【００７１】
専用ドライバ２０８は、ＹドライバＹｄ、第１〜４シフトレジスタＯｐ，Ｏｔ１，Ｏｔ２，Ｏｔ３を備えて構成される。【００７２】
ＹドライバＹｄは、第１〜４シフトレジスタＯｐ，Ｏｔ１，Ｏｔ２，Ｏｔ３に格納されたデータに基づいて電源線Ｌ１，Ｔｔｈ制御線Ｌ３、マージ線Ｌ５および走査信号線Ｌ４に対して電位を印加する機能を有する。【００７３】
第１シフトレジスタＯｐは、電源線Ｌ１に印加すべき電位（以下「電源線電位」とも称する）Ｖｓｓのデータを保持する。この電源線電位Ｖｓｓとしては、電位Ｖｐ，ＶＤＤ，ＧＮＤ（０Ｖ），ＨｉＺの４値を取り得る。【００７４】
第２シフトレジスタＯｔ１は、Ｔｔｈ制御線Ｌ３に印加すべき電位（以下「Ｔｔｈ制御線電位」とも称する）ＶＴｔｈのデータを保持する。このＴｔｈ制御線電位ＶＴｔｈとしては、電位ＶｇＨ，ＶｇＬの２値を取り得る。【００７５】
第３シフトレジスタＯｔ２は、マージ線Ｌ５に印加すべき電位（以下「マージ線電位」とも称する）Ｖｍのデータを保持する。このマージ線電位Ｖｍとしては、電位ＶｇＨ，ＶｇＬの２値を取り得る。【００７６】
第４シフトレジスタＯｔ３は、走査信号線Ｌ４に印加すべき電位（以下「走査線電位」とも称する）Ｖｓｌのデータを保持する。この走査線電位Ｖｓｌとしては、電位ＶｇＨ，ＶｇＬの２値を取り得る。【００７７】
そして、ＹドライバＹｄ、および第１〜４シフトレジスタＯｐ，Ｏｔ１，Ｏｔ２，Ｏｔ３で制御される走査線電位Ｖｓｌ、電源線電位Ｖｓｓ、Ｔｔｈ制御線電位ＶＴｔｈ、およびマージ線電位Ｖｍは、プロセッサ部２０６からの制御信号に応じた波形をそれぞれ示す。【００７８】
ここでは、走査線電位Ｖｓｌ、電源線電位Ｖｓｓ、Ｔｔｈ制御線電位ＶＴｔｈ、およびマージ線電位Ｖｍの波形が適宜変更されることで、画素回路に含まれる発光素子のデューティが変化し、パネル温度の変化による発光素子の発光輝度の変動が相殺されるように調整される。すなわち、デューティ制御部２０５によって読み出された発光制御データに基づき、プロセッサ部２０６および専用ドライバ２０８により、発光素子のデューティが変更されることで、各発光素子の発光輝度が調整される。【００７９】
図１４および図１５は、２つの異なるデューティを実現するための１つの画素回路の動作を示すタイミングチャートである。ここでは、図３で示した単位フレーム期間を構成する期間Ｔ１〜Ｔ４の構成比を変更することで、２つの異なるデューティを実現する一態様が示されている。【００８０】
図１４および図１５で示すように、書き込みのための期間Ｔ３を、走査線電位Ｖｓｌが電位ＶｇＬであって書き込みが行われない期間（デューティ調整用の期間）Ｔ３ａと、走査線電位Ｖｓｌが電位ＶｇＨであって書き込みが行われる期間（実際の書き込み期間）Ｔ３ｂとに分ける。そして、例えば、期間Ｔ１，Ｔ２，Ｔ３ｂの期間の長さを一定としたままで、期間Ｔ３ａと期間Ｔ４の長さを相補的に伸縮させることで、単位フレーム期間を占める発光のための期間Ｔ４の割合（すなわちデューティ）を増減させることができる。【００８１】
なお、図１４で示す駆動波形よりも、図１５で示す駆動波形によって、相対的に大きなデューティを実現することができる。【００８２】
＜パネル温度の変化に対する発光輝度の調整動作＞
図１６は、パネル温度および輝度設定の変化に対する発光輝度の調整動作フローを示すフローチャートである。例えば、表示部２００における画像表示が開始されると、図１６で示す動作フローが開始される。このとき、例えば、画像表示直前に温度センサ２０２によって検出されたパネル温度よりも９℃または１０℃高い温度が記憶パネル温度の初期値とされ、輝度設定については、前回の画像表示時の輝度設定が初期設定として採用される。以下、図１６で示す動作フローについて説明する。【００８３】
まず、ステップＳＰ１では、タイマー２０１によって、０．７秒が経過したか否か判定される。タイマー２０１は、本動作フローの開始とともに初期値（０秒）に設定されて、０．７秒が経過するまでステップＳＰ１が繰り返され、０．７秒が経過すると、ステップＳＰ２に進む。また、ステップＳＰ２に進む度に、タイマー２０１によって、次の０．７秒の経過の計測が開始される。【００８４】
ステップＳＰ２では、温度センサＩ／Ｆ２０３によって、温度センサ２０２で検出されたパネル温度が読み込まれる。【００８５】
ステップＳＰ３では、パネル温度更新部２０４によって、ステップＳＰ２で読み込まれたパネル温度が、境界温度（ここでは、奇数温度）に到達したか否か判定される。ここでは、パネル温度更新部２０４が、前回記憶された記憶パネル温度とステップＳＰ２で読み込まれたパネル温度とを比較することで、次の奇数温度に到達していなければステップＳＰ１に戻り、次の奇数温度に到達していれば、ステップＳＰ４に進む。【００８６】
ステップＳＰ４では、パネル温度更新部２０４によって、記憶パネル温度が到達した奇数温度に更新される。なお、パネル温度が２以上の奇数温度に到達した場合には、ステップＳＰ２で読み込まれたパネル温度に近い方の奇数温度に記憶パネル温度が更新される。【００８７】
このとき、図１２を示して上述したように、パネル温度が境界温度に到達し、記憶パネル温度が更新された後に、前記所定温度範囲内で変化する場合には、記憶パネル温度は変化せず、記憶パネル温度は実質的に更新されないこととなる。【００８８】
一方、ステップＳＰ５では、タイマー２０１によって、１０ミリ秒が経過したか否か判定される。タイマー２０１は、本動作フローの開始とともに初期値（０秒）に設定されて、１０ミリ秒が経過するまでステップＳＰ５が繰り返され、１０ミリ秒が経過すると、ステップＳＰ６に進む。また、ステップＳＰ６に進む度に、タイマー２０１によって、次の１０ミリ秒の経過の計測が開始される。【００８９】
ステップＳＰ６では、デューティ制御部２０５によって、輝度切換信号のサンプリングが行われる。ここでは、輝度切換信号が入力されれば、デューティ制御部２０５により、輝度切換信号に応じて輝度設定が変更される。なお、輝度切換信号は、例えば、表示パネルが表示するアプリケーションの種類に応じて輝度を変更（補償）するための信号等がある。【００９０】
本動作フローでは、ステップＳＰ１〜ＳＰ４の記憶パネル温度の更新に係る処理と、ステップＳＰ５，６の輝度設定に係る処理とが並行して行われるが、ステップＳＰ１〜ＳＰ４の処理が約０．７秒ごとに行われるのに対して、ステップＳＰ５，６の処理が約１０ミリ秒ごとに行われるように設定されている。そこで、ここでは、ステップＳＰ４，ＳＰ６の何れの処理が終了しても、ステップＳＰ７以降の処理が行われる。なお、パネル温度の読み込み周期は、本実施形態のように輝度切換信号のサンプリング周期よりも長い方が好ましい。パネル温度の読み込み精度を高くするためには、ある程度の期間が必要である上、パネル温度の読み込み頻度を小さくする方が輝度の発振現象を抑制する観点で好ましいからである。【００９１】
ステップＳＰ７では、デューティ制御部２０５によって、記憶パネル温度および輝度設定の少なくとも一方に変化があるか否か判定される。ここでは、記憶パネル温度および輝度設定の双方に変化がなければ、ステップＳＰ１およびステップＳＰ５の処理に戻り、記憶パネル温度および輝度設定のうちの少なくとも一方に変化があれば、ステップＳＰ８に進む。【００９２】
ステップＳＰ８では、デューティ制御部２０５によって、記憶パネル温度および輝度設定に応じた、発光制御データが記憶部２２０から読み出される。このとき、デューティ制御部２０５によって記憶部２２０から読み出された発光制御データに含まれる制御パラメータが、プロセッサ部２０６に対して出力される。【００９３】
ステップＳＰ９では、プロセッサ部２０６により、ステップＳＰ８で読み出された発光制御データ（ここでは、制御パラメータ）に基づいて、デューティの切り替えが行われる。ここでは、単位フレーム期間が終了するタイミングで、新規な制御パラメータに応じた駆動波形が、画素回路に対して付与され始めることにより、デューティが切り替わる。【００９４】
そして、ステップＳＰ９の処理が終了すると、ステップＳＰ１およびステップＳＰ５の処理に戻る。【００９５】
以上のように、本発明の第１実施形態に係る画像表示装置１によれば、パネル温度が、境界温度の範囲外から範囲内に到達した場合に、記憶パネル温度が更新される。そして、記憶パネル温度が更新された後は、パネル温度が、第１の境界温度（例えば、１７℃）と、該第１の境界温度を境界領域とする隣接する温度区間とで構成される第１の所定温度範囲（例えば、１５℃より高く、１９℃未満の温度範囲）において変化する限りは、記憶パネル温度は略一定となる。すなわち、一度記憶パネル温度が更新された後は、前記第１の所定温度範囲においては、当該第１境界温度に対応する制御データに基づいて発光素子の発光輝度が調整される。【００９６】
一方、パネル温度が変化して前記第１の所定温度範囲外となり、当該境界温度とは異なる第２の境界温度（例えば、１９℃）にパネル温度が到達すると、さらに記憶パネル温度が更新される。そして、記憶パネル温度が更新された後は、第２の境界温度と、該第２の境界温度を境界領域とする隣接する温度区間とで構成される第２の所定温度範囲（例えば、１７℃より高く、２１℃未満の温度範囲）においてパネル温度が変化する限りは、記憶パネル温度は略一定となる。【００９７】
このように、パネル温度が、温度区間の切れ目の付近で細かく往復しても、発光制御データが細かく切り替わりにくくなる。その結果、画像表示における輝度の発振現象を抑制しつつ、温度変化に対して発光輝度を安定化させることができる。【００９８】
なお、第１の所定温度範囲と第２の所定温度範囲とは一部の温度範囲（例えば、１７℃より高く、１９℃未満の温度範囲）が重複している。かかる重複範囲においては、パネル温度が同じでも、用いる制御データが異なっている。このように、パネル温度の過去の履歴によって制御データが異なることとなり、温度補償にヒステリシスを持たせることができる。その結果、前記表示パネルの温度に応じて前記発光素子の輝度調整を行いつつも、前記表示パネルの温度の細かな変化に追随しない安定した前記制御データの調整が可能な画像表示装置の実現が容易となる。【００９９】
また、発光制御データに基づいて、デューティを変更することで、各発光素子の発光輝度を調整するため、比較的簡易な構成で、画像表示における輝度の発振現象を抑制しつつ、温度変化に対して発光輝度を安定化させることができる。【０１００】
なお、前記発光制御データに代えて、γテーブルＧＴに記録されているγ補正データに基づいて発光素子の輝度を調整しても良い。この場合、図９におけるパネル温度更新部２０４は、プロセッサ部２０６にパネル温度の更新に関するデータを、デューティ制御部２０５等を介さずに直接送ることが好ましい。【０１０１】
＜第２実施形態＞
上記第１実施形態に係る画像表示装置１では、パネル温度が、複数の温度区間の境界温度（例えば、奇数温度）に到達し、記憶パネル温度が更新された後に、当該境界温度と、該境界温度を境界領域とする隣接する温度区間とで構成される所定の温度範囲内で変化する場合には、パネル温度の履歴を利用することで、デューティを制御するための発光制御データが変更されないようにした。これに対して、第２実施形態に係る画像表示装置１Ａでは、同じパネル温度の時でも、パネル温度が上昇傾向にあるときと、下降傾向にあるときとで、それぞれ異なる発光制御データを用いて発光素子の発光輝度を調整することで、パネル温度が、前記所定の温度範囲内で変化する場合に、デューティを制御するための発光制御データが変更されないようにしている。【０１０２】
以下、第２実施形態に係る画像表示装置１Ａについて説明する。なお、第２実施形態に係る画像表示装置１Ａでは、第１実施形態に係る画像表示装置１と比較して、第１実施形態に係る画像表示装置１の表示部２００が表示部２００Ａに置換されている。より詳細には、パネル温度更新部２０４、デューティ制御部２０５が異なる機能を有するパネル温度更新部２０４Ａ、デューティ制御部２０５Ａに置換され、更に、データテーブルＤＴがデータテーブルＤＴＡに置換されている。但し、第２実施形態に係る画像表示装置１Ａは、その他の構成について、第１実施形態に係る画像表示装置１と同様な構成を有するため、以下では、上記第１実施形態とは異なる部分について主に説明し、同様な構成については適宜同じ符号を付して説明を省略する。【０１０３】
記憶部２２０に記憶されるデータテーブルＤＴＡは、パネル温度が上昇傾向にある場合の各温度に対する発光制御データを含む制御データ群（以下「上昇時制御データ群」とも称する）と、パネル温度が下降傾向にある場合の各温度に対する発光制御データを含む制御データ群（以下「下降時制御データ群」とも称する）とが格納されている。なお、上昇時制御データ群および下降時制御データ群に含まれる各発光制御データは、温度上昇時の発光制御データと温度下降時の発光制御データとが相互に区別可能な態様で、ともに各温度に対してそれぞれ対応付けられたデータテーブルの形式を有している。【０１０４】
パネル温度更新部２０４Ａは、パネル温度のモニタ結果をメモリに記憶および更新するとともに、当該モニタ結果をデューティ制御部２０５Ａに対して出力する。このパネル温度更新部２０４Ａは、温度センサＩ／Ｆ２０３から入力されるパネル温度を、現在のパネル温度（記憶パネル温度）としてメモリに記憶する。なお、パネル温度更新部２０４Ａでは、前回の記憶パネル温度の情報もメモリに残しておく。【０１０５】
デューティ制御部２０５Ａは、パネル温度更新部２０４Ａから入力される記憶パネル温度、および本体部１００から入力される輝度切換信号に応じて、表示パネル２１０における発光素子のデューティ（単位フレーム期間を占める発光期間の割合）を制御する。また、デューティ制御部２０５Ａは、現在の記憶パネル温度と前回の記憶パネル温度とを比較して、前回の記憶パネル温度よりも現在の記憶パネル温度の方が温度が高い、すなわちパネル温度が上昇傾向にあるか、前回の記憶パネル温度よりも現在の記憶パネル温度の方が温度が低い、すなわちパネル温度が下降傾向にあるかを判定する。そして、当該判定結果に応じて、デューティ制御部２０５Ａは、パネル温度の上昇時には、上昇時制御データ群から現在の記憶パネル温度に応じた発光制御データを読み出し、パネル温度の下降時には、下降時制御データ群から現在の記憶パネル温度に応じた発光制御データを読み出す。【０１０６】
図１７から図１９は、デューティ制御部２０５Ａによる発光制御データの更新態様を説明するための図である。【０１０７】
図１７では、パネル温度上昇時における、発光制御データの更新態様が太線で示されており、図１８では、パネル温度下降時における、発光制御データの更新態様が太線で示されている。図１７および図１８は、図１２および図１３の縦軸が発光制御データの識別情報（ここでは制御データ番号）にそれぞれ置換されたものである。【０１０８】
図１７で示すように、パネル温度が上昇して、奇数温度に到達する度にデューティ調整用の発光制御データが異なる値に変更される。例えば、パネル温度が上昇していく途中で、パネル温度が１７℃に到達すれば、制御データ番号１７の発光制御データが採用され、パネル温度が１９℃に到達すれば、制御データ番号１９の発光制御データが採用される。これに対して、パネル温度が奇数温度を跨がない範囲内で変化する場合には、同じ制御データが採用される。例えば、記憶部２２０に格納された１８℃の発光制御データは、１７℃の発光制御データと同じ値であるため、パネル温度が１７℃から１８℃に変化したときに発光制御データが更新されても、発光制御データの値自体は変化しない。【０１０９】
一方、図１８で示すように、パネル温度が下降して、奇数温度に到達する度にデューティ調整用の発光制御データが異なる値に変更される。例えば、パネル温度が下降していく途中で、パネル温度が１９℃に到達すれば、制御データ番号１９の発光制御データが採用され、パネル温度が１７℃に到達すれば、制御データ番号１７の発光制御データが採用される。これに対して、パネル温度が奇数温度を跨がない範囲内で変化する場合には、同じ制御データが採用される。例えば、パネル温度が１９℃から１８℃に変化したときに発光制御データが更新されても、発光制御データの値自体は変化しない。【０１１０】
図１９では、図１７で示されたパネル温度が上昇傾向にある場合の発光制御データの更新態様（太線）と、図１８で示されたパネル温度が下降傾向にある場合の発光制御データの更新態様（細線）とが示されている。【０１１１】
図１９で示すように、パネル温度が、複数の温度区間の各境界温度（ここでは、奇数温度）に到達して発光制御データが更新された後は、各境界温度を中心として、高温側の所定の温度幅α未満および低温側の所定の温度幅α未満の範囲内で変化しても、採用される発光制御データが変化しない。換言すれば、一度発光制御データが更新された後は、パネル温度が、第１の境界温度（ここでは、奇数温度）と、該第１の境界温度を境界領域とする隣接する温度区間とで構成される第１の所定温度範囲内で変化する場合には、一定の第１の発光制御データに基づいて、各発光素子の発光輝度が調整されることとなる。一方、第１の所定温度範囲を超えて、第２の境界温度に到達すると、制御データの更新が行われる。そして、パネル温度が、当該第２の境界温度と、該第２の境界温度を境界領域とする隣接する温度区間とで構成される第２の所定温度範囲内で変化する場合には、一定の第２の発光制御データに基づいて、各発光素子の発光輝度が調整されることとなる。ここで、第１の所定温度範囲と第２の所定温度範囲とで一部温度範囲が重複するものの、該重複範囲においては互いに発光制御データが異なることとなる。その結果、図１９に示すように、パネル温度の上昇時と下降時とで採用される制御データ番号が異なる温度領域を有し、発光制御データにヒステリシスを持たせた形となっている。【０１１２】
図２０は、パネル温度および輝度設定の変化に対する発光輝度の調整動作フローを示すフローチャートである。例えば、表示部２００における画像表示が開始されると、図２０で示す動作フローが開始される。このとき、例えば、画像表示直前に温度センサ２０２によって検出されたパネル温度よりも１０℃高い温度が記憶パネル温度の初期値とされ、輝度設定については、前回の画像表示時の輝度設定が初期設定として採用される。以下、図２０で示す動作フローについて説明する。【０１１３】
まず、ステップＳＴ１，ＳＴ２では、図１６のステップＳＰ１，ＳＰ２と同様な処理が行われる。【０１１４】
ステップＳＴ４では、パネル温度更新部２０４Ａによって、ステップＳＴ２で読み込まれたパネル温度を記憶パネル温度として記憶することで記憶パネル温度の更新を行う。なお、このとき、前回の記憶パネル温度も一時的に保持しておく。【０１１５】
ステップＳＴ５，ＳＴ６では、図１６のステップＳＰ５，ＳＴ６と同様な処理が行われる。なお、ここでは、ステップＳＴ４，ＳＴ６の何れの処理が終了しても、ステップＳＴ７以降の処理が行われる。【０１１６】
ステップＳＴ７では、デューティ制御部２０５Ａによって、記憶パネル温度および輝度設定の少なくとも一方に変化があるか否か判定される。ここでは、記憶パネル温度および輝度設定の双方に変化がなければ、ステップＳＴ１およびステップＳＴ５の処理に戻り、記憶パネル温度および輝度設定のうちの少なくとも一方に変化があれば、ステップＳＴ８に進む。【０１１７】
ステップＳＴ８では、デューティ制御部２０５Ａの判定により、記憶パネル温度に変化がなければ、ステップＳＴ９に進み、記憶パネル温度に変化があれば、ステップＳＴ１０に進む。【０１１８】
ステップＳＴ９では、デューティ制御部２０５Ａによって、記憶パネル温度と輝度設定とに応じた発光制御データが、前回発光制御データが読み出された制御データ群（上昇時制御データ群、または下降時制御データ群）から読み出される。このとき、デューティ制御部２０５Ａによって記憶部２２０から読み出された発光制御データに含まれる制御パラメータが、プロセッサ部２０６に対して出力される。【０１１９】
ステップＳＴ１０では、デューティ制御部２０５Ａによって、記憶パネル温度が前回の記憶パネル温度よりも上昇したか否か判定される。ここでは、記憶パネル温度が前回の記憶パネル温度よりも上昇していれば、ステップＳＴ１１に進み、下降していれば、ステップＳＴ１２に進む。【０１２０】
ステップＳＴ１１では、デューティ制御部２０５Ａによって、記憶パネル温度および輝度設定に応じた発光制御データが、上昇時制御データ群から読み出される。このとき、デューティ制御部２０５Ａによって記憶部２２０から読み出された発光制御データに含まれる制御パラメータが、プロセッサ部２０６に対して出力される。【０１２１】
ステップＳＴ１２では、デューティ制御部２０５Ａによって、記憶パネル温度および輝度設定に応じた発光制御データが、下降時制御データ群から読み出される。このとき、デューティ制御部２０５Ａによって記憶部２２０から読み出された発光制御データに含まれる制御パラメータが、プロセッサ部２０６に対して出力される。【０１２２】
ステップＳＴ１３では、プロセッサ部２０６により、ステップＳＴ９，ＳＴ１１，ＳＴ１２の何れかで読み出された発光制御データ（ここでは、制御パラメータ）に基づいて、デューティの切り替えが行われる。ここでは、単位フレーム期間が終了するタイミングで、新規な制御パラメータに応じた駆動波形が、画素回路に対して付与され始めることにより、デューティが切り替わる。【０１２３】
そして、ステップＳＴ１３の処理が終了すると、ステップＳＴ１およびステップＳＴ５の処理に戻る。【０１２４】
以上のように、本発明の第２実施形態に係る画像表示装置１Ａによれば、パネル温度が、前回検出された温度よりも上昇している場合には、上昇時制御データ群のうちの、パネル温度に応じた発光制御データに基づいて発光輝度が調整される。一方、パネル温度が、前回検出された温度よりも下降している場合には、下降時制御データ群のうちの、パネル温度に応じた発光制御データに基づいて発光輝度が調整される。【０１２５】
この様な構成を採用しても、第１実施形態にかかる画像表示装置と同様の効果が得られるが、本実施形態においては上昇時と下降時の双方のデータが必要となるため、生産性という観点では第１実施形態にかかる画像表示装置が好ましい。【０１２６】
なお、第１実施形態と同様に、発光制御データに代えて、γテーブルＧＴに記録されているγ補正データに基づいて発光素子の輝度を調整しても良い。【０１２７】
＜変形例＞
なお、本発明は上述の実施の形態に限定されるものではなく、本発明の要旨を逸脱しない範囲において種々の変更、改良等が可能である。【０１２８】
◎例えば、上記実施形態では、記憶部２２０に記憶される各種プログラムやデータなどをデューティ制御部２０５，２０５Ａ、およびプロセッサ部２０６が読み込むことで、温度変化や輝度設定の変化に対して発光輝度を安定化させる機能を実現したが、これに限られず、当該機能を、ハードウェア構成のみで実現しても良い。但し、ハードウェア構成の複雑さを考慮すると、上記実施形態のようにハードウェア構成とソフトウェアや各種データとを組み合わせた形態で当該機能を実現することが好ましい。【０１２９】
◎また、上記実施形態では、デューティ制御部２０５，２０５Ａが、温度センサ２０２によって検出されたパネル温度、および輝度設定に基づいて、発光制御データを記憶部２２０から読み出したが、これに限られず、例えば、輝度設定が変更されない構成では、デューティ制御部２０５，２０５Ａが、温度センサ２０２によって検出されたパネル温度に基づいて、発光制御データを記憶部２２０から読み出すようにすれば良い。【０１３０】
◎また、上記実施形態では、温度変化に対して、デューティを変更することで発光素子の発光輝度を調整したが、これに限られず、例えば、温度変化に対して、電源線電位Ｖｓｓの高電位ＶＤＤを適宜変更したり、Ｘドライバ２０７から画像信号線Ｌ２へ付与される電位（−Ｖｄａｔａ）を適宜変更することで、発光素子の発光輝度を調整するようにしても良い。但し、各ドライバ２０７，２０８の構成の複雑化を考慮すると、上記実施形態のように、デューティを変更する方が好ましい。【０１３１】
◎なお、第１及び第２実施形態と同様に、発光制御データに代えて、γテーブルＧＴに記録されているγ補正データに基づいて発光素子の輝度を調整しても良い。【０１３２】
◎また、上記第１実施形態では、制御データが更新される境界温度を奇数温度に設定したが、かかる境界温度に所定の幅を持たせ、該境界温度の範囲に読み込みパネル温度が到達した最初のタイミングで記憶パネル温度を更新するようにしても良い。この場合、隣接する温度区間同士が一部重複し、該重複する境界領域が境界温度となる。例えば、図２１に示すように、境界温度の幅βを１７．０℃〜１７．９℃に設定し、かかる境界温度の範囲に読み込みパネル温度が該当した最初のタイミングで記憶パネル温度を更新するようにする。この場合、例えば、読み込みパネル温度が１６℃から１７．０℃に変化した場合には、１７．０℃のタイミングで記憶パネル温度が１５℃から１７℃に更新される。一方、読み込みパネル温度が１８℃から１７．９℃に変化した場合には、１７．９℃のタイミングで記憶温度が１９℃から１７℃に変更される。なお、図２１では、図１２と同様に、パネル温度が上昇傾向にある場合の記憶パネル温度の更新態様が太線で示され、パネル温度が下降傾向にある場合の記憶パネル温度の更新態様が細線で示されている。【０１３３】
そして、境界温度幅βを広くすると、パネル温度の変化に対する発光輝度の調整がより精度良く行われることになるが、境界温度幅βを広くし過ぎると、記憶パネル温度が、温度区間の切れ目の付近で細かく往復し易くなり、画像表示における輝度の発振現象が発生し易くなる。したがって、境界温度幅βは、各温度区間の温度幅αの半分以下であることが好ましい。この場合、所定温度範囲の幅は、温度区間の温度幅αの１．５倍以上２倍以下となる。【０１３４】
◎また、上記第２実施形態では、図１９を示して説明したように、上昇時制御データ群および下降時制御データ群に含まれる各温度に対応する発光制御データどうしが、各境界温度、すなわち奇数温度でのみ一致したが、これに限られず、上昇時制御データ群に含まれる発光制御データと、下降時制御データ群に含まれる発光制御データとが、所定の温度範囲ごとに一致しても良い。すなわち、上昇時制御データ群および下降時制御データ群に含まれる各温度に対応する制御データどうしが一致する温度範囲が、所定の温度間隔で存在しても良い。【０１３５】
より詳細には、例えば、図２２に示すように、図２１の縦軸を制御データ番号に置換して、上昇時制御データ群および下降時制御データ群に含まれる各温度に対応する制御データどうしが一致する温度幅γの温度範囲が、所定の温度間隔で存在しても良い。【０１３６】
但し、上昇時制御データ群および下降時制御データ群に含まれる各温度に対応する制御データどうしが一致する温度幅γが広すぎると、各温度区間の境界温度付近で発光制御データが変更され易くなり、画像表示における輝度の発振現象が発生し易くなる。したがって、温度幅γは、各温度区間の温度幅αの半分以下であることが好ましい。【０１３７】
また、温度幅γの最小値は、０であることが好ましい。これは、パネル温度が上昇傾向にある場合の発光制御データと、パネル温度が下降傾向にある場合の発光制御データとのズレ量が温度幅αを超えると、複数の温度区間の各境界温度（例えば、奇数温度）付近で、記憶パネル温度が細かく往復し、画像表示における輝度の発振現象が発生し易くなるからである。【０１３８】
したがって、画像表示における輝度の発振現象を抑制しつつ、温度変化に対してより精度良く発光輝度を安定化させるためには、上記温度幅γが、０℃以上であり且つ温度幅αの半分以下であることが好ましい。【０１３９】
◎また、上記実施形態では、有機ＥＬ素子を用いた画像表示装置１，１Ａを挙げて説明したが、これに限られず、本発明は、発光輝度が温度依存性を有する画像表示装置一般に適用できる。【０１４０】
◎また、上記実施形態では、画像表示装置の一例として携帯電話機１，１Ａを挙げて説明したが、これに限られず、本発明は、例えば、ノート型パソコンやデジタルカメラやＰＤＡなどといった表示パネルが搭載された画像表示装置一般に適用することができる。【０１４１】
◎なお、上記実施形態で示した制御データは、単一の文字や記号などを示すデータ（例えば、０，１などのdatum）や単一の信号などを含む。
【図１】
2008105224.tif 000003
【図２】
2008105224.tif 000004
【図３】
2008105224.tif 000005
【図４】
2008105224.tif 000006
【図５】
2008105224.tif 000007
【図６】
2008105224.tif 000008
【図７】
2008105224.tif 000009
【図８】
2008105224.tif 000010
【図９】
2008105224.tif 000011
【図１０】
2008105224.tif 000012
【図１１】
2008105224.tif 000013
【図１２】
2008105224.tif 000014
【図１３】
2008105224.tif 000015
【図１４】
2008105224.tif 000016
【図１５】
2008105224.tif 000017
【図１６】
2008105224.tif 000018
【図１７】
2008105224.tif 000019
【図１８】
2008105224.tif 000020
【図１９】
2008105224.tif 000021
【図２０】
2008105224.tif 000022
【図２１】
2008105224.tif 000023
【図２２】
2008105224.tif 000024
【国際調査報告】
2008105224.tif 000025
2008105224.tif 000026
2008105224.tif 000027
2008105224.tif 000028